(57)【特許請求の範囲】
【請求項１】
下端に自身の直径よりも大きい脚を有する支柱の軸線方向に沿って分割される左右の固定部材と、当該固定部材を地面に固定させる支持杭と、で少なくとも構成され、
前記支柱を固定する簡易アンカーであって、
前記固定部材の表面には、前記支持杭を挿入する誘導パイプが前記支柱に対して傾斜した状態で設けられ、
前記固定部材の側面には、他方の固定部材に当接する背当て板が形成され、
当該背当て板には、一方の端面に固定ピンが設けられ、他方の端面には、挿入孔が穿設されており、
前記支柱の脚に一方の固定部材を載置し、他方の固定部材も前記脚に載置すると、一方の固定部材の前記固定ピンが、他方の固定部材の前記挿入孔に挿入され、
一方の固定部材の前記挿入孔には、他方の固定部材の前記固定ピンが挿入されて、前記脚が左右の固定部材に覆われ、
前記誘導パイプを通して前記支持杭が打設されると、前記脚が前記固定部材を介して前記地面に固定されてなることを特徴とする簡易アンカー。
【請求項２】
前記支持杭は、頭部がＴ字状に形成されてなることを特徴とする請求項１に記載の簡易アンカー。
【発明の詳細な説明】
【技術分野】
【０００１】
本発明は、支柱の下端を固定する簡易アンカーに関するものである。
【背景技術】
【０００２】
従来より、支柱の下端を固定するテント用アンカー（簡易アンカー）としては、テント支柱受台に貫通穴を設け、杭を斜めに打込む構造のものが知られている（特許文献１）。
【先行技術文献】
【特許文献】
【０００３】
【特許文献１】特開２０１２−８２６７３号公報
【発明の概要】
【発明が解決しようとする課題】
【０００４】
しかしながら、このような構造の簡易アンカーでは、支柱受台を介して支柱の下端を固定するため、支柱が地面に間接的に設置されることから、支柱が正確な位置に固定できず、支柱がゆがんだ状態で固定されてしまうという問題があった。また、杭の撤去時には、ナットを杭の軸方向に回転させてから引き抜く構造であるため、その都度工具が必要となり、不便であった。
【０００５】
そこで、本発明の目的は、上記従来の簡易アンカーの問題点を解消し、支柱がゆがんだ状態で固定されることがなく、また杭の撤去時には工具が不要な簡易アンカーを提供することにある。
【課題を解決するための手段】
【０００６】
本発明のうち、請求項１に記載された発明は、下端に自身の直径よりも大きい脚を有する支柱の軸線方向に沿って分割される左右の固定部材と、当該固定部材を地面に固定させる支持杭と、で少なくとも構成され、
前記支柱を固定する簡易アンカーであって、
前記固定部材の表面には、前記支持杭を挿入する誘導パイプが前記支柱に対して傾斜した状態で設けられ、
前記固定部材の側面には、他方の固定部材に当接する背当て板が形成され、
当該背当て板には、一方の端面に固定ピンが設けられ、他方の端面には、挿入孔が穿設されており、
前記支柱の脚に一方の固定部材を載置し、他方の固定部材も前記脚に載置すると、一方の固定部材の前記固定ピンが、他方の固定部材の前記挿入孔に挿入され、
一方の固定部材の前記挿入孔には、他方の固定部材の前記固定ピンが挿入されて、前記脚が左右の固定部材に覆われ、
前記誘導パイプを通して前記支持杭が打設されると、前記脚が前記固定部材を介して前記地面に固定されてなることを特徴とするものである。
【０００７】
請求項２に記載された発明は、請求項１に記載の発明に加え、前記支持杭は、頭部がＴ字状に形成されてなることを特徴とするものである。
【発明の効果】
【０００８】
請求項１に記載された発明は、支柱が地面に直接設置された状態で固定されることから、支柱がゆがんだ状態で固定されることがない。また、構造がシンプルであることから設置や分解が容易である。
【０００９】
請求項２に記載された発明は、撤去時には頭部を把持し、支持杭の軸部を周方向に回転させてから引き抜けば良く、支持杭を引き抜くための工具が不要である。
【図面の簡単な説明】
【００１０】
【図１】テントの支柱が簡易アンカーによって固定された状態を示す説明図である。
【図２】簡易アンカーを示す説明図である。
【図３】固定部材を示す説明図である。
【図４】支柱の脚に一方の固定部材が載置された状態を示す説明図である。
【図５】簡易アンカーの変更例を示す説明図である。
【発明を実施するための形態】
【００１１】
以下、本発明の簡易アンカーの一実施形態について、図面に基づいて詳細に説明する。
図１は、テントの支柱が簡易アンカーによって固定された状態を示す説明図である。図２は、簡易アンカーを示す説明図である。図３は、固定部材を示す説明図である。図４は、支柱の脚に一方の固定部材が載置された状態を示す説明図である。
【００１２】
先ず初めに、図１に示すように、簡易アンカー１，５４，５６，５８は、テント５０の四隅に立設される支柱５１，５３，５５，５７を地面に直接設置した状態で固定するものである。
このうち、図２，４に示すように、簡易アンカー１は、下端に自身の直径よりも大きい脚５２を有する支柱５１の軸線方向に沿って分割される左右の固定部材１０，３０と、固定部材１０を地面に固定する支持杭２０ａ，２０ｂと、固定部材３０を地面に固定する支持杭４０ａ，４０ｂと、固定部材１０の移動を防止する移動防止ピン２５と、固定部材３０の移動を防止する移動防止ピン４５とで構成される。
【００１３】
次に、図３に示すように、固定部材１０は、底面に支柱５１の脚５２の一部を覆う形状の凸部１７が形成されており、この凹部１７の中心には支柱５１の直径より孔径が大きい半円の支柱ガイド孔１８が穿設されている。他にも、固定部材１０には、外周に鍔状の底板１１が設けられており、表面には、この底板１１から支柱５１に対して約４５度の角度で傾斜する誘導パイプ１２ａ，１２ｂが異なる位置に設けられている。更に、誘導パイプ１２ａ，１２ｂと異なる位置には、孔１３が穿設されている。
他にも、固定部材１０の側面には、固定部材３０に当接する背当て板１４が形成されており、この背当て板１４には、一方の端面に、固定部材３０に穿設される挿入孔３６に挿入可能とする固定ピン１５が設けられ、他方の端面には、固定部材３０に設けられる固定ピン３５を挿入可能とする挿入孔１６が穿設されている。
【００１４】
一方、固定部材３０も固定部材１０と同様に、底面に脚５２の一部を覆う形状の凹部３７が形成されており、この凹部３７の中心には支柱５１の直径より孔径が大きい半円の支柱ガイド孔３８が穿設されている。他にも、固定部材３０には、外周に鍔状の底板３１が設けられており、表面には、この底板３１から支柱５１に対して約４５度の角度で傾斜する誘導パイプ３２ａ，３２ｂが異なる位置に設けられている。更に、誘導パイプ３２ａ，３２ｂと異なる位置には、孔３３が穿設されている。
他にも、固定部材３０の側面には、固定部材１０に当接する背当て板３４が形成されており、この背当て板３４には、一方の端面に、固定部材１０に穿設される挿入孔１６に挿入可能とする固定ピン３５が設けられ、他方の端面には、固定部材１０に設けられる固定ピン１５を挿入可能とする挿入孔３６が穿設されている。
【００１５】
次に、支持杭２０ａは、外周にストッパー２２ａが設けられた軸部２３ａと、この軸部２３ａの上端にＴ字状の頭部２１ａが設けられている。他の支持杭２０ｂも同様に、外周にストッパー２２ｂが設けられた軸部２３ｂと、この軸部２３ｂの上端にＴ字状の頭部２１ｂが設けられている。
また、移動防止ピン２５は、棒材を逆Ｌ字状に湾曲させたもので、頭部２６と軸部２７とで構成される。
【００１６】
一方、支持杭４０ａは、外周にストッパー４２ａが設けられた軸部４３ａと、この軸部４３ａの上端にＴ字状の頭部４１ａが設けられている。他の支持杭４０ｂも同様に、外周に図示しないストッパー４２ｂが設けられた軸部４３ｂと、この軸部４３ｂの上端にＴ字状の頭部４１ｂが設けられている。
また、移動防止ピン４５は、棒材を逆Ｌ字状に湾曲させたもので、頭部４６と軸部４７とで構成される。
【００１７】
このようにして構成される簡易アンカー１による支柱５１の固定は、以下のように行われる。
先ず初めに、図１に示すように、四隅の支柱５１，５３・・を立設した状態のテント５０において、図４に示すように、支柱５１では、脚５２の上に凸部１７が配置されるように固定部材１０を載置する。そして、脚５２の残りの一部の上には、凸部３７が配置されるように固定部材３０を載置する。この時、背当て板１４には、背当て板３４が当接することから、固定ピン１５が挿入孔３６に挿入される一方、固定ピン３５が挿入孔１６に挿入されることとなる。その結果、支柱ガイド孔１８，３８で支柱５１を挟み込んだ状態となり、左右の固定部材１０，３０によって支柱５１の脚５２が覆われた状態となる。
【００１８】
次に、図２に示すように、固定部材１０の孔１３に、移動防止ピン２５の軸部２７を挿入し、孔１３を通して手ハンマーで頭部２６を打設する。同様に、固定部材３０の孔３３にも、移動防止ピン４５の軸部４７を挿入し、孔３３を通して手ハンマーで頭部４６を打設する。
そして、固定部材１０側では、誘導パイプ１２ａに支持杭２０ａを挿入し、誘導パイプ１２ａを通してストッパー２２ａが当接する位置まで手ハンマーで頭部２１ａを打設する。更に、誘導パイプ１２ｂに支持杭２０ｂを挿入し、誘導パイプ１２ｂを通してストッパー２２ｂが当接する位置まで手ハンマーで頭部２１ｂを打設する。
【００１９】
一方、固定部材３０側でも同様に、誘導パイプ３２ａに支持杭４０ａを挿入し、誘導パイプ３２ａを通してストッパー４２ａが当接する位置まで手ハンマーで頭部４１ａを打設する。更に、誘導パイプ３２ｂに支持杭４０ｂを挿入し、誘導パイプ３２ｂを通して図示しないストッパー４２ｂが当接する位置まで手ハンマーで頭部４１ｂを打設する。
これらにより、簡易アンカー１によって支柱５１が地面に直接設置された状態で固定されることとなる。以降、残りの支柱５３，５５・・についても同様の手順で、移動防止ピン２５や支持杭２０の打設を行うことで、簡易アンカー５４，５６・・によって支柱５３，５５・・が地面に直接設置された状態で固定されることとなる。
【００２０】
一方、簡易アンカー１の支柱５１からの取り外しは、以下のように行われる。
先ず初めに、固定部材１０側では、頭部２１ａを把持し、軸部２３ａの周方向に回転させてから、支持杭２０ａを誘導パイプ１２ａから引き抜く。同様に、支持杭２０ｂも、頭部２１ｂを把持し、軸部２３ｂの周方向に回転させてから、誘導パイプ１２ｂから引き抜く。また、固定部材３０側でも、頭部４１ａを把持し、軸部４３ａの周方向に回転させてから、支持杭４０ａを誘導パイプ３２ａから引き抜く。同様に、支持杭４０ｂも、頭部４１ｂを把持し、軸部４３ｂの周方向に回転させてから、支持杭４０ｂを誘導パイプ３２ｂから引き抜く。
【００２１】
次に、固定部材１０側では、頭部２６を把持し、軸部２７の周方向に回転させてから、移動防止ピン２５を孔１３から引き抜く。また、固定部材３０側でも、頭部４６を把持し、軸部４７の周方向に回転させてから、移動防止ピン４５を孔３３から引き抜く。
【００２２】
その後、図４に示すように、固定部材３０を固定部材１０から引き離すと、固定ピン１５は挿入孔３６から抜け、固定ピン３５は挿入孔１６から抜けて、固定部材１０，３０による支柱５１の挟み込みが解除され、簡易アンカー１が支柱５１から取り外されることとなる。他の簡易アンカー５４，５６・・も同様の手順を行うことにより、支柱５３，５５・・から取り外されることとなる。
【００２３】
上記の如く構成される簡易アンカー１は、固定部材１０の表面には、支持杭２０ａ，２０ｂを挿入する誘導パイプ１２ａ，１２ｂが支柱５１に対して傾斜した状態で設けられ、固定部材１０の側面には、他方の固定部材３０に当接する背当て板１４が形成され、この背当て板１４には、一方の端面に固定ピン１５が設けられ、他方の端面には、挿入孔１６が穿設されており、支柱５１の脚５２に一方の固定部材１０を載置し、他方の固定部材３０も脚５２に載置すると、一方の固定部材１０の固定ピン１５が、他方の固定部材３０の挿入孔３６に挿入され、一方の固定部材１０の挿入孔１６には、他方の固定部材３０の固定ピン３５が挿入されて、脚５２が左右の固定部材１０，３０に覆われ、誘導パイプ１２ａ，１２ｂを通して支持杭２０ａ，２０ｂが打設されると共に、誘導パイプ３２ａ，３２ｂを通して支持杭４０ａ，４０ｂが打設されると、脚５２が固定部材１０，３０を介して地面に固定されてなることにより、支柱５１が地面に直接設置された状態で固定されることから、支柱５１がゆがんだ状態で固定されることがない。また、構造がシンプルであることから設置や分解が容易である。
【００２４】
また、支持杭２０ａ，２０ｂは、頭部がＴ字状に形成されてなることにより、撤去時には頭部２１ａ，２１ｂを把持し、支持杭２０ａ，２０ｂを軸部２３ａ，２３ｂの周方向に回転させてから引き抜けば良く、支持杭２０ａ，２０ｂを引き抜くための工具が不要である。同様に、支持杭４０ａ，４０ｂは、頭部がＴ字状に形成されてなることにより、撤去時には頭部４１ａ，４１ｂを把持し、支持杭４０ａ，４０ｂを軸部４３ａ，４３ｂの周方向に回転させてから引き抜けば良く、支持杭４０ａ，４０ｂを引き抜くための工具が不要である。
【００２５】
なお、本発明にかかる簡易アンカーは、上記した実施の形態に何ら限定されるものではなく、本発明の趣旨を逸脱しない範囲で適宜変更することができる。
【００２６】
例えば、支柱５１の固定部材１０，３０による挟み込みでは、固定ピン１５が挿入孔３６に挿入されると共に、固定ピン３５が挿入孔１６に挿入される構造であるが、ヒンジ機構やその他の機構であっても良く、適宜変更可能である。
【００２７】
また、支持杭２０（２０ａ，２０ｂ），４０（４０ａ，４０ｂ）や、移動防止ピン２５，４５は、支柱５１がゆがんだ状態で固定されなければ打設する数を増減させても良い。
【００２８】
他にも、簡易アンカー１，５４，５６，５８は、テント５０の四隅に立設される支柱５１，５３，５５，５７を直接地面に設置した状態で固定しているが、図５に示すように、簡易アンカー６０，６２を、他の支柱５９，６１に使用したり、必要な箇所の支柱のみに使用しても良い。
【符号の説明】
【００２９】
１・・簡易アンカー、１０・・固定部材、１１・・底板、１２・・誘導パイプ、１３・・孔、１４・・背当て板、１５・・固定ピン、１６・・挿入孔、１７・・凸部、１８・・支柱ガイド孔、２０・・支持杭、２１・・頭部、２２・・ストッパー、２３・・軸部、２５・・移動防止ピン、２６・・頭部、２７・・軸部、３０・・固定部材、３１・・底板、３２・・誘導パイプ、３３・・孔、３４・・背当て板、３５・・固定ピン、３６・・挿入孔、３７・・凸部、３８・・支柱ガイド孔、４０・・支持杭、４１・・頭部、４２・・ストッパー、４３・・軸部、４５・・移動防止ピン、４６・・頭部、４７・・軸部、５０・・テント、５１・・支柱、５２・・脚、５３・・支柱、５４・・簡易アンカー、５５・・支柱、５６・・簡易アンカー、５７・・支柱、５８・・簡易アンカー、５９・・支柱、６０・・簡易アンカー、６１・・支柱、６２・・簡易アンカー。
【図１】
0006708859.tif 000002
【図２】
0006708859.tif 000003
【図３】
0006708859.tif 000004
【図４】
0006708859.tif 000005
【図５】
0006708859.tif 000006